【手続補正書】
【提出日】平成23年6月30日(2011.6.30)
【手続補正１】
【補正対象書類名】特許請求の範囲
【補正対象項目名】全文
【補正方法】変更
【補正の内容】
【特許請求の範囲】
【請求項１】
複数の印刷ジョブに関する複数のジョブ情報を、第１の配列で表示するジョブリスト画面をユーザインタフェースに表示させる印刷装置であって、
前記ジョブリスト画面における前記複数のジョブ情報の配列を前記第１の配列とは異なる第２の配列に変更するための配列変更指示が前記ユーザインタフェースを介して入力されたかどうかを判別する判別手段と、
前記判別手段により前記配列変更指示が入力されたと判別されると、前記複数のジョブ情報の配列を前記第２の配列に変更したジョブリスト画面を表示するように制御する配列変更手段と、
前記ジョブリスト画面に表示された印刷ジョブに対するユーザ操作に応じて前記ユーザインタフェースの表示内容を変更する表示変更手段と、
前記ユーザ操作の前に前記配列変更指示が入力されていた場合、前記ジョブリスト画面を前記第２の配列で再表示し、前記ユーザ操作の前に前記配列変更指示が入力されていない場合は、前記ジョブリスト画面を前記第１の配列で再表示する表示制御手段と、
を有することを特徴とする印刷装置。
【請求項２】
ユーザを認証する認証手段と、
前記認証手段によって認証されるユーザ情報に関連付けて前記第２の配列を保持する配列保持手段とを更に有し、
前記表示制御手段は、前記認証手段による認証が成功すると、前記配列保持手段に保持された前記第２の配列で前記複数のジョブ情報を表示するジョブリスト画面を表示するように制御することを特徴とする請求項１に記載の印刷装置。
【請求項３】
前記配列変更手段は、前記配列変更指示が前記ユーザインタフェースを介して入力されたら、前記複数のジョブ情報の配列を変更している状態にある旨を示すダイアログを表示するように制御することを特徴とする請求項１又は２に記載の印刷装置。
【請求項４】
前記ユーザ操作は、前記ジョブリスト画面に表示されたボタンを指示することにより入力されることを特徴とする請求項１乃至３のいずれか１項に記載の印刷装置。
【請求項５】
前記配列変更指示は、前記ジョブリスト画面のジョブ情報の項目の指示操作により入力されることを特徴とする請求項１乃至４のいずれか１項に記載の印刷装置。
【請求項６】
前記配列変更手段は、前記配列変更指示の入力に応じて、前記ジョブ情報の配列を昇順或いは降順に交互に変更することを特徴とする請求項５に記載の印刷装置。
【請求項７】
複数の印刷ジョブに関する複数のジョブ情報を、第１の配列で表示するジョブリスト画面をユーザインタフェースに表示させる印刷装置の制御方法であって、
前記ジョブリスト画面における前記複数のジョブ情報の配列を前記第１の配列とは異なる第２の配列に変更するための配列変更指示が前記ユーザインタフェースを介して入力されたかどうかを判別する判別工程と、
前記判別工程で前記配列変更指示が入力されたと判別されると、前記複数のジョブ情報の配列を前記第２の配列に変更したジョブリスト画面を表示するように制御する配列変更工程と、
前記ジョブリスト画面に表示された印刷ジョブに対するユーザ操作に応じて前記ユーザインタフェースの表示内容を変更する表示変更工程と、
前記ユーザ操作の前に前記配列変更指示が入力されていた場合、前記ジョブリスト画面を前記第２の配列で再表示し、前記ユーザ操作の前に前記配列変更指示が入力されていない場合は、前記ジョブリスト画面を前記第１の配列で再表示する表示制御工程と、
を有することを特徴とする印刷装置の制御方法。
【請求項８】
ユーザを認証する認証工程と、
前記認証工程で認証されるユーザ情報に関連付けて前記第２の配列を保持する配列保持工程とを更に有し、
前記表示制御工程は、前記認証工程による認証が成功すると、前記配列保持工程に保持された前記第２の配列で前記複数のジョブ情報を表示するジョブリスト画面を表示するように制御することを特徴とする請求項７に記載の印刷装置の制御方法。
【請求項９】
前記配列変更工程は、前記配列変更指示が前記ユーザインタフェースを介して入力されたら、前記複数のジョブ情報の配列を変更している状態にある旨を示すダイアログを表示するように制御することを特徴とする請求項７又は８に記載の印刷装置の制御方法。
【請求項１０】
前記ユーザ操作は、前記ジョブリスト画面に表示されたボタンが指示されることにより入力されることを特徴とする請求項７乃至９のいずれか１項に記載の印刷装置の制御方法。
【請求項１１】
前記配列変更指示は、前記ジョブリスト画面のジョブ情報の項目が指示される操作により入力されることを特徴とする請求項７乃至１０のいずれか１項に記載の印刷装置の制御方法。
【請求項１２】
前記配列変更工程は、前記配列変更指示の入力に応じて、前記ジョブ情報の配列を昇順或いは降順に変更することを特徴とする請求項１１に記載の印刷装置の制御方法。
【請求項１３】
請求項７乃至１２のいずれか１項に記載の制御方法をコンピュータに実行させるためのコンピュータ実行可能なプログラム。
【手続補正２】
【補正対象書類名】明細書
【補正対象項目名】０００８
【補正方法】変更
【補正の内容】
【０００８】
上記目的を達成するために本発明の一態様に係る印刷装置は以下のような構成を備える。即ち、
複数の印刷ジョブに関する複数のジョブ情報を、第１の配列で表示するジョブリスト画面をユーザインタフェースに表示させる印刷装置であって、
前記ジョブリスト画面における前記複数のジョブ情報の配列を前記第１の配列とは異なる第２の配列に変更するための配列変更指示が前記ユーザインタフェースを介して入力されたかどうかを判別する判別手段と、
前記判別手段により前記配列変更指示が入力されたと判別されると、前記複数のジョブ情報の配列を前記第２の配列に変更したジョブリスト画面を表示するように制御する配列変更手段と、
前記ジョブリスト画面に表示された印刷ジョブに対するユーザ操作に応じて前記ユーザインタフェースの表示内容を変更する表示変更手段と、
前記ユーザ操作の前に前記配列変更指示が入力されていた場合、前記ジョブリスト画面を前記第２の配列で再表示し、前記ユーザ操作の前に前記配列変更指示が入力されていない場合は、前記ジョブリスト画面を前記第１の配列で再表示する表示制御手段と、を有することを特徴とする。
【手続補正３】
【補正対象書類名】明細書
【補正対象項目名】０００９
【補正方法】変更
【補正の内容】
【０００９】
上記目的を達成するために本発明の一態様に係る印刷装置の制御方法は以下のような工程を備える。即ち、
複数の印刷ジョブに関する複数のジョブ情報を、第１の配列で表示するジョブリスト画面をユーザインタフェースに表示させる印刷装置の制御方法であって、
前記ジョブリスト画面における前記複数のジョブ情報の配列を前記第１の配列とは異なる第２の配列に変更するための配列変更指示が前記ユーザインタフェースを介して入力されたかどうかを判別する判別工程と、
前記判別工程で前記配列変更指示が入力されたと判別されると、前記複数のジョブ情報の配列を前記第２の配列に変更したジョブリスト画面を表示するように制御する配列変更工程と、
前記ジョブリスト画面に表示された印刷ジョブに対するユーザ操作に応じて前記ユーザインタフェースの表示内容を変更する表示変更工程と、
前記ユーザ操作の前に前記配列変更指示が入力されていた場合、前記ジョブリスト画面を前記第２の配列で再表示し、前記ユーザ操作の前に前記配列変更指示が入力されていない場合は、前記ジョブリスト画面を前記第１の配列で再表示する表示制御工程と、を有することを特徴とする。
【手続補正４】
【補正対象書類名】明細書
【補正対象項目名】００９６
【補正方法】変更
【補正の内容】
【００９６】
一方、ステップＳ３２０で「試しプリント」ボタンがタッチされていないと判断した場合はステップＳ３２２に進み、ＭＦＰ制御部１０００は、「プリント」ボタン９０３がタッチされたか否かを判断する。ＭＦＰ制御部１０００が「プリント」ボタンがタッチされたと判断した場合はステップＳ３２３に処理を進め、選択されたジョブの印刷処理を開始する。次に、ＭＦＰ制御部１０００は、処理をステップＳ３２４に進め、アクティブジョブリスト用の別画面を表示する。そして、ＭＦＰ制御部１０００は、処理をステップＳ３１６に進め、アクティブジョブリスト用の別画面を閉じるボタンがタッチされたか否かを判断する。
【手続補正５】
【補正対象書類名】図面
【補正対象項目名】図１０
【補正方法】変更
【補正の内容】
【図１０】
2010012634.tif 000001
【手続補正６】
【補正対象書類名】図面
【補正対象項目名】図１６
【補正方法】変更
【補正の内容】
【図１６】
2010012634.tif 000002